(57)【要約】      （修正有）【課題】材料の大量化を抑制しながらも、十分な強度を有する容器を提供する。【解決手段】発泡性合成樹脂で形成された容器本体２と蓋体３とからなり、容器本体２は、底壁２１と底壁２１の外周縁から上方に立ち上げられた側壁２７とを備え、容器本体２の側壁２７は、上端部がこれよりも下側部分の肉厚よりも厚くなる肉厚補強部２Ｂを備え、肉厚補強部２Ｂの下方に一対の指掛け用凹部２４，２４を備え、蓋体３は、天壁と天壁の外周縁から下方に延びる側壁とを備え、肉厚補強部２Ｂの外面２ｂと蓋体３の側壁の外面３ｂとでテープ貼り付け面を構成し、肉厚補強部２Ｂの外面２ｂと蓋体３の側壁の外面３ｂとは、底壁２１に対して垂直となっている。【選択図】図１
0003193345.tif 000002
【実用新案登録請求の範囲】
【請求項１】
発泡性合成樹脂で形成された容器本体と蓋体とからなり、前記容器本体は、底壁と底壁の外周縁から上方に立ち上げられた側壁とを備え、前記容器本体の側壁は、上端部がこれよりも下側部分の肉厚よりも厚くなる肉厚補強部を備え、該肉厚補強部の下方に一対の指掛け用凹部を備え、前記蓋体は、天壁と天壁の外周縁から下方に延びる側壁とを備え、前記肉厚補強部の外面と前記蓋体の側壁の外面とでテープ貼り付け面を構成し、前記肉厚補強部の外面と前記蓋体の側壁の外面とは、前記底壁に対して垂直となっていることを特徴とする容器。
【請求項２】
前記容器本体の側壁の肉厚補強部より下側部分の外面が、下方側ほど内側となる傾斜面に形成されていることを特徴とする請求項１に記載の容器。
【請求項３】
前記容器本体の側壁は、前後に対向する一対の前後側壁を備え、該一対の前後側壁における前記肉厚補強部の下方に該肉厚補強部と同一厚みとなる補助用肉厚補強部が延設されており、該補助用肉厚補強部の下端に前記指掛け用凹部が形成されていることを特徴とする請求項１又は２に記載の容器。
【考案の詳細な説明】
【技術分野】
【０００１】
本考案は、発泡性合成樹脂で形成された平面視において略矩形状の容器本体と蓋体とからなる容器に関する。
【背景技術】
【０００２】
従来から、アサリ等の貝類を海水とともに容器本体に収納し、容器本体の開口部を蓋体で閉じ、容器本体と蓋体とを跨ぐ状態で粘着テープを周方向に沿って貼り付けることによって、容器本体から海水が外部へ漏れないように封緘した状態で容器を運搬することが行われている。
【０００３】
前記構成の容器としては、発泡性合成樹脂で形成された平面視において長方形状の容器本体と蓋体とを備え、更に容器を吊り下げて持ち運べるように取手用の紐を容器本体に備えたものが既に提案されている。この取手用の紐は、容器本体の相対向する一対の側壁の上部外面から底壁に向かって貫通形成された孔に通されている（例えば特許文献１参照）。
【先行技術文献】
【特許文献】
【０００４】
【特許文献１】実公平７−４１９８号公報（図１、図２参照）
【考案の概要】
【考案が解決しようとする課題】
【０００５】
上記特許文献１では、取手用の紐を通すための孔を一対の側壁と底壁に亘って形成する関係上、一対の側壁及び底壁の強度が低下してしまう。このため、側壁及び底壁を肉厚に構成しなければならず、材料の大量化を招き、コスト高になっていた。特に、重量のあるアサリ等の貝類を海水とともに収納している容器において、十分な強度を持たせるためには、一層肉厚にする必要がある。このため、材料の大量化を更に招くものであり、改善の余地があった。
【０００６】
本考案が前述の状況に鑑み、解決しようとするところは、材料の大量化を抑制しながらも、十分な強度を有する容器を提供することを課題とする。
【課題を解決するための手段】
【０００７】
本考案の容器は、前述の課題解決のために、発泡性合成樹脂で形成された容器本体と蓋体とからなり、前記容器本体は、底壁と底壁の外周縁から上方に立ち上げられた側壁とを備え、前記容器本体の側壁は、上端部がこれよりも下側部分の肉厚よりも厚くなる肉厚補強部を備え、該肉厚補強部の下方に一対の指掛け用凹部を備え、前記蓋体は、天壁と天壁の外周縁から下方に延びる側壁とを備え、前記肉厚補強部の外面と前記蓋体の側壁の外面とでテープ貼り付け面を構成し、前記肉厚補強部の外面と前記蓋体の側壁の外面とは、前記底壁に対して垂直となっていることを特徴としている。
【０００８】
かかる構成によれば、例えばアサリ等の貝類（魚等でもよい）を海水とともに容器本体に収納し、容器本体の開口を蓋体にて閉じる。そして、肉厚補強部の外面と前記蓋体の側壁の外面とに跨ぐ状態で粘着テープを周方向に沿って貼り付けることによって、容器本体と蓋体とを封緘する。前記粘着テープを貼り付ける肉厚補強部の外面と前記蓋体の側壁の外面とが、両者共に底壁に対して垂直となっているため、粘着テープを貼り易く貼り付け作業を迅速に行うことができる。そして、封緘された容器の一対の指掛け用凹部に指を掛けて容器を持ち上げて運搬することができる。このとき、容器本体の上端部が肉厚補強部となって補強されているので、容器本体全体の厚みを厚くした場合の材料の大量化を抑制しながらも、蓋体を含めた容器全体の重量を良好に支持することができる。
【０００９】
また、本考案の容器は、前記容器本体の側壁の肉厚補強部より下側部分の外面が、下方側ほど内側となる傾斜面に形成されていてもよい。
【００１０】
上記構成によれば、容器本体の側壁の上端部である肉厚補強部より下側部分を、下方側ほど内側となる傾斜面に形成することによって、金型との離型性を良好にすることができる。
【００１１】
また、本考案の容器は、前記容器本体の側壁は、前後に対向する一対の前後側壁を備え、該一対の前後側壁における前記肉厚補強部の下方に該肉厚補強部と同一厚みとなる補助用肉厚補強部が延設されており、該補助用肉厚補強部の下端に前記指掛け用凹部が形成されていてもよい。
【００１２】
上記構成によれば、肉厚補強部の下方に肉厚補強部と同一厚みとなる補助用肉厚補強部が延設されることによって、容器を持ち上げる際に指を掛ける部分（指掛け用凹部と補助用肉厚補強部との境界部分）の強度アップを更に図ることができ、変形や破損し難い容器にすることができる。
【考案の効果】
【００１３】
本考案によれば、指掛け用凹部に指を掛けたときに負荷のかかる容器本体の上端部をこれよりも下側部分の肉厚よりも厚くなる肉厚補強部とすることによって、材料の大量化を抑制しながらも、十分な強度を有する容器にすることができる。
【図面の簡単な説明】
【００１４】
【図１】本考案に係る容器の正面図である。
【図２】同容器を示す側面図である。
【図３】容器本体の要部の斜視図である。
【図４】容器本体の底面図である。
【図５】蓋体の平面図である。
【図６】蓋体の底面図である。
【考案を実施するための形態】
【００１５】
以下、本考案に係る容器の一実施形態を、図面に基づいて説明する。
【００１６】
図１及び図２は、あさり（魚でもよい）等の貝類を海水とともに収納することができる箱型状の容器１を示している。この容器１は、上端に開口部２Ａ（図３参照）を有する発泡性合成樹脂でなる容器本体２と、この容器本体２の上端開口部２Ａを閉じて密閉状態にするための発泡性合成樹脂でなる蓋体３とから構成されている。尚、発泡性合成樹脂としては、特に限定されないが、例えば発泡ポリスチレン、発泡ポリエチレン、発泡ポリプロピレン等の各種発泡性合成樹脂が利用できる。尚、容器１の短辺方向を左右方向とし、容器１の長辺方向を前後方向とする。わかり易くするために図面にも前後左右の文字を入れている。
【００１７】
容器本体２は、図３及び図４に示すように、平面視略長方形状に形成された板状の底壁２１と、底壁２１の外周縁から上方に立ち上げられた本体用側壁２７とを備えている。
【００１８】
底壁２１は、外側に位置するフラット面を有する外周縁２１ａと、外周縁２１ａを除いた内側部分から下方に突出した突出部２１Ｔとを備え、この突出部２１Ｔのフラットな下面２１ｔが、床面等に接する。
【００１９】
本体用側壁２７は、底壁２１の全周に亘る枠状に形成され、上端部がこれよりも下側部分の肉厚よりも厚くなるよう外側に膨出した肉厚補強部２Ｂを構成してなり、該肉厚補強部２Ｂの下方に一対の指掛け用凹部２４，２４を備えるとともに該肉厚補強部２Ｂと同一厚みとなるよう外側に膨出した補助用肉厚補強部２Ｃを延設している。
【００２０】
本体用側壁２７は、具体的には、底壁２１の一対の長辺である左右の縁部に上方に立ち上げられた左右側壁２２，２２と、底壁２１の一対の短辺である前後の縁部から上方に立ち上げられた前後側壁２３，２３とを備え、これら４つの側壁２２，２３の上部に貝類や海水を出し入れするための前記上端開口部２Ａが形成されて構成されている。
【００２１】
左右側壁２２，２２は、上端部が他の部分（上端部より下側部分）の肉厚よりも厚くなる肉厚補強部２Ｂを備え、肉厚補強部２Ｂの外面２ｂは、容器本体２の下面（水平面）２１ｔに対して垂直となる垂直面に構成されている。また、肉厚補強部２Ｂの下側部分の外面２２ｃは、下方側ほど内側となる傾斜面に形成されている。また、左右側壁２２，２２の内面（図示せず）は、下方側ほど内側となる傾斜面に形成されている。前記のように肉厚補強部２Ｂの下側部分の外面２２ｃを、肉厚補強部２Ｂの下端２Ｕから下方側ほど内側となる傾斜面に形成することによって、金型との離型性を良好にすることができる。尚、前記傾斜面の傾斜角度を１°に設定しているため、図面上では把握でき難い状態になっている。
【００２２】
前後側壁２３，２３は、上端部が他の部分（上端部より下側部分）の肉厚よりも厚くなる肉厚補強部２Ｂとなり、肉厚補強部２Ｂの左右方向中央部の下方に肉厚補強部２Ｂと同一厚みとなる補助用肉厚補強部２Ｃが延出されており、これら前後の補助用肉厚補強部２Ｃ，２Ｃの下端から底部２１の外周縁２１ａにかけて前後一対の指掛け用凹部２４，２４が形成されている。肉厚補強部２Ｂの外面２ｂは、容器本体２の下面（水平面）２１ｔに対して垂直となる垂直面に構成されている。また、肉厚補強部２Ｂの下側部分の外面２３ｃは、下方側ほど内側となる傾斜面に形成されている。また、前後側壁２３，２３の内面（図示せず）は、下方側ほど内側となる傾斜面に形成されている。前記のように肉厚補強部２Ｂの下側部分の外面２３ｃを、肉厚補強部２Ｂの下端２Ｕから下方側ほど内側に位置する傾斜面に形成することによって、金型との離型性を良好にすることができる。尚、前記傾斜面の傾斜角度を１°に設定しているため、図面上では把握でき難い状態になっている。
【００２３】
指掛け用凹部２４は、容器１の肉厚補強部２Ｂの下側部分の外面２３ｃよりも内側に離間したフラット面２４Ａと、フラット面２４Ａの左右端から容器１の肉厚補強部２Ｂの下側部分の外面２３ｃまでを繋ぐフラットな左右の横側面２４Ｂ，２４Ｂと、補助用肉厚補強部２Ｃの下端面２４Ｃの４つの面から構成され、補助用肉厚補強部２Ｃの下端面２４Ｃに指（例えば、人差し指、中指、薬指、小指の４本）を掛けて容器１を持ち上げることになる。
【００２４】
指掛け用凹部２４の左右幅は、補助用肉厚補強部２Ｃの左右幅よりも狭く設定され、下方に向かうほど幅広にすることで材料の大量化を更に抑制している。補助用肉厚補強部２Ｃの下端面２４Ｃにおける指掛け用凹部２４の左右幅は、具体的には、４本の指（ほとんどの指）を掛けることができるように略７ｃｍの大きさの幅に設定しているが、４ｃｍ〜１０ｃｍの間の大きさの幅に設定してもよい。また、指掛け用凹部２４の内側への深さは、略１ｃｍに設定しているが、０．５ｃｍ〜３ｃｍの間の任意の値に設定してもよい。
【００２５】
また、左右側壁２２，２２及び前後側壁２３，２３の上端面、即ち、容器本体２の上端面には、図３に示すように、内縁の全周に亘って上向きに突出する嵌合用凸条２５が設けられている。
【００２６】
一方、蓋体３は、図５及び図６に示すように、平面視略長方形状で板状の天壁３Ａと、天壁３Ａの外周縁から下方に延びる蓋体用側壁３Ｂとを備えている。
【００２７】
天壁３Ａの底面のうちの前記蓋体用側壁３Ｂから所定距離内側に位置する部位に、全周に亘って下向きに突出する環状の凸条３２が形成されている。該凸条３２は、前後に対向する前後壁３２Ａ，３２Ａと、左右で対向する左右壁３２Ｂ，３２Ｂとを備える。そして、凸条３２の前後壁３２Ａ，３２Ａの左右中央部同士及び左右壁３２Ｂ，３２Ｂの前後中央部同士を連結する略十字形状の補強用凸条３４が形成されている。この補強用凸条３４は、前記凸条３２よりも下向きの突出量が小さく（少なく）なっている。
【００２８】
蓋体用側壁３Ｂは、具体的には、天壁３Ａの一対の長辺である左右の縁部に下方に延びる左右側壁３６，３６と、天壁３Ａの一対の短辺である前後の縁部から下方に延びる前後側壁３７，３７とを備えている。
【００２９】
前記蓋体用側壁３Ｂと前記凸条３２との間に、前記嵌合用凸条２５が嵌合する嵌合用凹溝３３が形成されている。この嵌合用凹溝３３を容器本体２の嵌合用凸条２５に嵌合させることによって、蓋体３と容器本体２とが密閉状態で固定される。
【００３０】
左右側壁３６，３６の外面３ｂは、容器本体２の底壁２１の下面（水平面）２１ｔに対して垂直となる垂直面に形成されるとともに、容器本体２の肉厚補強部２Ｂの外面２ｂと面一となるように形成されている。
【００３１】
前後側壁３７，３７の外面３ｂは、容器本体２の底壁２１の下面（水平面）２１ｔに対して垂直となる垂直面に形成されるとともに、容器本体２の肉厚補強部２Ｂの外面２ｂと面一となるように形成されている。
【００３２】
前記のように左右側壁３６，３６の外面３ｂ及び前後側壁３７，３７の外面３ｂ、即ち蓋体用側壁３Ｂの外面３ｂと容器本体２の肉厚補強部２Ｂの外面２ｂとから、テープ貼り付け面を構成している。そして、蓋体用側壁３Ｂの外面３ｂと容器本体２の肉厚補強部２Ｂの外面２ｂとが垂直面に形成されることによって、それら垂直面に粘着テープＮを貼り易くテープの貼り付け作業を迅速に行うことができる。尚、肉厚補強部２Ｂの上下の幅は、周方向において略同一の大きさに構成され、肉厚補強部２Ｂの厚みも、周方向において略同一の厚みに構成されている。また、蓋体３の外面（垂直面）３ｂの上下の幅は、周方向において略同一の大きさに構成され、肉厚補強部２Ｂの上下の幅と略同一の寸法になっている。
【００３３】
前記のように粘着テープＮが貼り付けられて密閉状態になった容器１の前後側壁２３，２３に形成された指掛け用凹部２４，２４に指（例えば、人差し指、中指、薬指、小指の４本）を掛けて容器１を持ち上げて運搬することができる。このとき、補強された容器本体２の上端部の肉厚補強部２Ｂ及び補助用肉厚補強部２Ｃにて容器１の重量を良好に支持することができる。
【００３４】
また、蓋体３の上面の外縁全周には、図５に示すように、所定間隔を置いて複数（図５では全部で８個）の蓋体補強用の凸条３５Ａ，３５Ｂ，３５Ｃが形成されている。
【００３５】
蓋体補強用の凸条３５Ａ，３５Ｂ，３５Ｃのうちの蓋体３の前後端の上面に形成されている左右一対の第１凸条３５Ａ，３５Ｂは、蓋体３の左右中央部に容器本体２の長手方向にバンドを掛けるための切欠きＳ１が形成されるように配置されている。また、残りの４個の第２凸条３５Ｃは、蓋体３の長手方向に所定間隔を空けて２個ずつ左右端に振り分けて配置され、前後に位置する第２凸条３５Ｃ，３５Ｃ間に切欠きＳ２が形成されている。また、第１凸条３５Ａ，３５Ｂの第２凸条側端とこれに対向する第２凸条３５Ｃ，３５Ｃの端との間に、バンドを掛けるための切欠きＳ３が形成されている。
【００３６】
また、容器本体２に装着した蓋体３を取り外す場合に、容器本体２の対角線上に位置する角部に、指を入れることができる指入れ用凹部２６（図１〜図３に一方側のみ図示している）が形成されている。従って、指入れ用凹部２６，２６の一方又は両方に指（例えば人差し指）を入れて容器本体２に対して蓋体３を上方へ持ち上げることによって、蓋体３を容易に取り外すことができる。
【００３７】
尚、本考案に係る容器は、前記実施形態に限定されるものではなく、本考案の要旨を逸脱しない範囲で種々の変更が可能である。
【００３８】
前記実施形態では、蓋体３の垂直面３ｂの上下の幅を、周方向において略同一の大きさに構成したが、周方向において蓋体３の垂直面３ｂの上下の幅が異なるように構成してもよい。例えば指掛け用凹部２４，２４が形成される前後側壁２３，２３の上下の幅を、左右側壁２２，２２の上下の幅よりも広く（大きく）設定することが考えられる。また、蓋体３の垂直面３ｂの上下の幅を、容器本体２の肉厚補強部２Ｂの上下の幅と略同一の寸法に設定したが、異なる寸法に構成することもできる。
【００３９】
また、前記実施形態では、指掛け用凹部２４を補助用肉厚補強部２Ｃの下端から底部２１の外周縁２１ａにかけて形成することによって、材料の大量化を抑制する上において有利になるが、補助用肉厚補強部２Ｃの下端から底部２１の外周縁２１ａよりも上方位置にかけて指掛け用凹部２４を形成してもよい。要するに、指を掛けて容器を持ち上げることができるのであれば、指掛け用凹部２４の大きさは自由に変更することができる。
【００４０】
また、前記実施形態では、厚みが厚い容器本体２の離型時の離型性を良好に行うために、本体用側壁２７の肉厚補強部２Ｂの下側部分の外面２２ｃ，２３ｃを、下側ほど内側となる傾斜面に形成したが、厚みの薄い容器本体２を成型する場合には、下側部分の外面２２ｃ，２３ｃを垂直面に形成しても構わない。
【００４１】
また、前記実施形態では、補助用肉厚補強部２Ｃを設けたが、省略して実施することができる。この場合、補助用肉厚補強部２Ｃの強度分だけ、肉厚補強部２Ｂの厚みを厚くする、あるいは肉厚補強部２Ｂの上下寸法を大きくすることが好ましい。
【００４２】
また、前記実施形態では、肉厚補強部２Ｂの外側への膨出量を周方向において略同一の膨出量に構成したが、部分的に膨出量を異なるように構成してもよい。例えば、指掛け用凹部２４の付近の肉厚補強部２Ｂの膨出量を、他の部分よりも増大させるようにすることによって、材料の大量化を抑えながらも、指掛け用凹部２４における強度アップを図ることができる。
【符号の説明】
【００４３】
１…容器、２…容器本体、２Ａ…上端開口部、２Ｂ…肉厚補強部、２Ｃ…補助用肉厚補強部、２ｂ…外面（垂直面）、３…蓋体、３Ａ…天壁、３Ｂ…蓋体用側壁、３ｂ…外面（垂直面）、２１…底壁、２１Ｔ…突出部、２１ａ…外周縁、２１ｔ…下面、２２…左右側壁、２３…前後側壁、２２ｃ，２３ｃ…外面、２４…指掛け用凹部、２４Ａ…フラット面、２４Ｂ…横側面、２４Ｃ…下端面、２５…嵌合用凸条、２６…指入れ用凹部、２７…本体用側壁、３２…凸条、３２Ａ…前後壁、３２Ｂ…左右壁、３３…嵌合用凹溝、３４…補強用凸条、３５Ａ，３５Ｂ，３５Ｃ…凸条、３６…左右側壁、３７…前後側壁、Ｎ…粘着テープ
【図１】
0003193345.tif 000003
【図２】
0003193345.tif 000004
【図３】
0003193345.tif 000005
【図４】
0003193345.tif 000006
【図５】
0003193345.tif 000007
【図６】
0003193345.tif 000008